(57)【要約】【課題】本発明は、投光器の照射角を容易に調節できるＬＥＤ投光器を提供する。【解決手段】本発明は、投光器の照射角を容易に調節できるように、セルブラケット３００は、長方形の板状で形成されて複数のＬＥＤセル１００が長手方向に取り付けられ、上記セルブラケット３００が複数個で設けられて各々垂直に立てられた後、上記本体２００の内部に取り付けられ、かつ左右の捩れを調節する左右角度調節部２１０を用いて上記セルブラケット３００が左右に回動可能に上記本体２００に固定され、上記ＬＥＤセル１００は、ＬＥＤパッケージ１１５が取り付けられたＬＥＤモジュール１１０と、上記ＬＥＤモジュール１００の背面側に備えられて上記ＬＥＤモジュール１００を上下に回動可能に上記セルブラケット３００に固定させる上下角度調節部１２０と、を含んで構成されて、光の照射角度を容易に調節できるようにする。【選択図】図１
2011159620.tif 000002
【特許請求の範囲】
【請求項１】
前方が開口された本体２００と、板状からなって、板状の面が前方に向くように前記本体２００の内部に取り付けられるセルブラケット３００と、ＬＥＤパッケージ１１５が前記本体２００の開口された方向に向くように前記セルブラケット３００に取り付けられる複数のＬＥＤセル１００と、を含んで構成されて、光の照射角および照射範囲が調節できるようにしたＬＥＤ投光器であって、
前記セルブラケット３００は、
長方形の板状で形成されて複数のＬＥＤセル１００が長手方向に取り付けられ、前記セルブラケット３００が複数個で設けられて各々垂直に立てられた後、前記本体２００の内部に取り付けられ、かつ左右の捩れを調節する上方の左右角度調節部２１０を用いて前記セルブラケット３００が左右に回動可能に前記本体２００に固定され、
前記ＬＥＤセル１００は、
ＬＥＤパッケージ１１５が取り付けられたＬＥＤモジュール１１０と、前記ＬＥＤモジュール１００の背面側に備えられて前記ＬＥＤモジュール１００を上下に回動可能に前記セルブラケット３００に固定させる上下角度調節部１１０と、を含んで構成されることを特徴とするＬＥＤ投光器。
【請求項２】
前記左右角度調節部２１０は、
前記本体２００の上部に位置した第１中心軸溝２１３と、
前記第１中心軸溝２１３を中心にして左右側に対称となるように組成され、半円弧形状で切欠される切欠溝２１２と、
前記第１中心軸溝２１１と対応する位置に前記本体２００の下部に位置した第２中心軸溝２１４と、
前記第１中心軸溝２１３、前記対称切欠された切欠溝２１２、および第２中心軸溝２１４に各々１つずつ嵌合されて前記セルブラケット３００の上端および下端にネジ締めされて、ネジ緩み時に前記第１中心軸溝２１３および第２中心軸溝２１４を軸にして左右角度を調節した後、ネジ締めして前記セルブラケット３００を本体２００に固定させるネジ２１５と、
含んで構成されることを特徴とする請求項１に記載のＬＥＤ投光器。
【請求項３】
前記切欠溝２１２の外側に該当する前記本体２００の上面には、前記第１中心軸溝２１３を中心にして角度調節可能範囲が文字および目盛で表記される角度表記部２１１が組成され、
前記第１中心軸溝２１３および前記対称切欠された切欠溝２１２と前記ネジ２１５の頭部との間には、前記セルブラケット３００の上端面と平行するように配置される角度指示部３１０が介されることを特徴とする請求項２に記載のＬＥＤ投光器。
【請求項４】
前記上下角度調節部１２０は、
前記ＬＥＤモジュール１１０の背面に突出するように組成される突起１１６と、
前記セルブラケット３００に形成されたＬＥＤモジュール固定溝３２０に固定され、前方の面に前記突起１１６が嵌合できるように垂直方向に切欠した凹溝１３１を備えるＬＥＤモジュール固定具１３０と、
前記突起１１６を前記凹溝１３１に嵌合した後、前記ＬＥＤモジュール固定具１３０の外側面から貫通して前記突起１１６にネジ締めされるネジ１２３と、
を含んで構成されて、
前記ネジ１２３をネジ緩み時にＬＥＤモジュール１１０の上下に回動させて角度を調節した後、前記ネジ１２３をネジ締めしてＬＥＤモジュール１１０をＬＥＤモジュール固定具に固定させるようにすることを特徴とする請求項１に記載のＬＥＤ投光器。
【発明の詳細な説明】
【技術分野】
【０００１】
本発明は、ＬＥＤ投光器に関し、より詳しくは、投光器の照射角を容易に調節できるＬＥＤ投光器に関する。
【背景技術】
【０００２】
一般に、投光器は屋外広告物や造形物、または室内舞台に光を照射する照明であって、直進性が強調された照明である。
【０００３】
特に、特定の部分を照らして強調したり、１箇所を集中して照明する場所でたくさん使われる。
【０００４】
一方、投光器の内部には反射鏡および電球が内蔵されるが、反射鏡と電球との距離を調節したり、でなければ電球を回動させて、投光器の照射角度を調節する。
【０００５】
最近、電球の代わりにＬＥＤを用いた投光器が多く市場に発表されている。ＬＥＤは電球よりエネルギー効率に優れ、明るさでも電球と同等な明るさを出す長所がある。このような長所のため、電球を使用した投光器の代わりにＬＥＤを用いた投光器が普遍化している趨勢である。
【０００６】
しかしながら、従来のＬＥＤ投光器は複数のＬＥＤが平面上に固定されて光を照射する形態であるので、投光器の照射角を調節できず、調節できるとしても、その照射角が制限的であるという問題点があった。
【発明の概要】
【発明が解決しようとする課題】
【０００７】
本発明の目的は、投光器の照射角を容易に調節できるＬＥＤ投光器を提供することにある。
【課題を解決するための手段】
【０００８】
上記の目的を達成するために、本発明は、前方が開口された本体２００と、板状からなり、板状の面が前方を向くように上記本体２００の内部に取り付けられるセルブラケット３００と、ＬＥＤパッケージ１１５が上記本体２００の開口された方向に向くように上記セルブラケット３００に取り付けられる複数のＬＥＤセル１００とを含んで構成されて、光の照射角および照射範囲を調節するためのＬＥＤ投光器であって、上記セルブラケット３００は、長方形の板状で形成されて複数のＬＥＤセル１００が長手方向に取り付けられ、上記セルブラケット３００が複数個で設けられて各々垂直に立てられた後、上記本体２００の内部に取り付けられ、かつ左右の捩れを調節する左右角度調節部２１０を用いて上記セルブラケット３００が左右に回動可能に上記本体２００に固定され、上記ＬＥＤセル１００は、ＬＥＤパッケージ１１５が取り付けられたＬＥＤモジュール１１０と、上記ＬＥＤモジュール１００の背面側に備えられて上記ＬＥＤモジュール１００を上下に回動可能に上記セルブラケット３００に固定させる上下角度調節部１１０と、を含んで構成されることを特徴とする。
【０００９】
また、上記左右角度調節部２１０は、上記本体２００の上部に位置した第１中心軸溝２１３と、上記第１中心軸溝２１３を中心にして左右側に対称となるように組成され、半円弧形状で切欠される切欠溝２１２と、上記第１中心軸溝２１１と対応する位置に上記本体２００の下部に位置した第２中心軸溝２１４と、上記第１中心軸溝２１３、上記対称切欠された切欠溝２１２、および第２中心軸溝２１４に各々１つずつ嵌合されて上記セルブラケット３００の上端および下端にネジ締めされて、ネジ緩み時に上記第１中心軸溝２１３および第２中心軸溝２１４を軸にして左右角度を調節した後、ネジ締めして上記セルブラケット３００を本体２００に固定させるネジ２１５と、含んで構成されることを特徴とする。
【００１０】
併せて、上記切欠溝２１２の外側に該当する上記本体２００の上面には、上記第１中心軸溝２１３を中心にして角度調節可能範囲が文字および目盛で表記される角度表記部２１１が組成され、上記第１中心軸溝２１３および上記対称切欠された切欠溝２１２と上記ネジ２１５の頭部との間には、上記セルブラケット３００の上端面と平行するように配置される角度指示部３１０が介されることを特徴とする。
【００１１】
また、上記上下角度調節部１２０は、上記ＬＥＤモジュール１１０の背面に突出するように組成される突起１１６と、上記セルブラケット３００に形成されたＬＥＤモジュール固定溝３２０に固定され、前方の面に上記突起１１６が嵌合できるように垂直方向に切欠した凹溝１３１を備えるＬＥＤモジュール固定具１３０と、上記突起１１６を上記凹溝１３１に嵌合した後、上記ＬＥＤモジュール固定具１３０の外側面から上記凹溝１３１および上記突起１１６を貫通して上記ＬＥＤモジュール固定具１３０にネジ締めされるネジ１２３と、を含んで構成されて、上記ネジ１２３をネジ緩み時にＬＥＤモジュール１１０の上下に回動させて角度を調節した後、上記ネジ１２３をネジ締めしてＬＥＤモジュール１１０を固定させるようにすることを特徴とする。
【発明の効果】
【００１２】
上記の特徴を有する本発明によると、セルブラケット３００は、長方形の板状で形成されて複数のＬＥＤセル１００が長手方向に取り付けられ、上記セルブラケット３００が複数個で設けられて各々垂直に立てられた後、上記本体２００の内部に取り付けられ、かつ左右の捩れを調節する左右角度調節部２１０を用いて上記セルブラケット３００が左右に回動可能に上記本体２００に固定され、上記ＬＥＤセル１００は、ＬＥＤパッケージ１１５が取り付けられたＬＥＤモジュール１１０と、上記ＬＥＤモジュール１００の背面側に備えられて上記ＬＥＤモジュール１００を上下に回動可能に上記セルブラケット３００に固定させる上下角度調節部１２０と、を含んで構成されて、光の照射角度を容易に調節できるようにする。
【図面の簡単な説明】
【００１３】
【図１】本発明の実施形態に係るＬＥＤ投光器の斜視図である。
【図２】本発明の実施形態に係るＬＥＤ投光器におけるセルブラケット３００が分離された状態を示す斜視図である。
【図３】本発明の実施形態に係るＬＥＤ投光器におけるＬＥＤセル１００の分離斜視図である。
【図４】本発明の実施形態に係るＬＥＤ投光器のＬＥＤセル１００がセルブラケット３００に結合される状態を示す斜視図である。
【図５】本発明の実施形態に係るＬＥＤ投光器のセルブラケット１００が回動されることを示す斜視図である。
【発明を実施するための形態】
【００１４】
以下、本発明の好ましい実施形態を添付の図面を参照して当該分野の通常の知識を有する者が容易に実施できるように説明する。添付された図面において、構成に表記された参照番号は他の図面でも同一の構成を表記する時、できる限り同一の図面番号を使用していることに留意すべきである。また、本発明を説明するに当たって、関連した公知の機能または公知の構成に対する具体的な説明が本発明の要旨を曖昧にすることができると判断される場合にはその詳細な説明を省略する。そして、図面に提示されたいずれの特徴も説明の便宜性のために、拡大、縮小、または単純化したものであり、図面およびその構成要素が必ず適切な割合で図示されているのではない。
【００１５】
図１は本発明の実施形態に係るＬＥＤ投光器を示す斜視図であり、図２は本発明の実施形態に係るＬＥＤ投光器のセルブラケット３００が分離された状態を示す斜視図であり、図３は本発明の実施形態に係るＬＥＤ投光器のＬＥＤセル１００を示す斜視図であり、図４は本発明の実施形態に係るＬＥＤ投光器のＬＥＤセル１００がセルブラケット３００に結合される状態を示す斜視図であり、図５は本発明の実施形態に係るＬＥＤ投光器のセルブラケット１００が回動されることを示す斜視図である。
【００１６】
上記図１ないし図５を参照すると、本発明に係るＬＥＤ投光器は、本体２００と、上記本体２００の内部に取り付けられるセルブラケット３００と、上記セルブラケット３００に取り付けられる複数のＬＥＤセル１００と、を含んで構成される。
【００１７】
また、本発明に係るＬＥＤ投光器のセルブラケット３００は、左右角度調節部２１０を用いて左右に回動可能に上記本体２００に固定され、ＬＥＤセル１００は上下に回動可能に上下角度調節部１１０を含んで構成される。
【００１８】
併せて、本発明に係るＬＥＤ投光器の左右角度調節部２１０は、第１中心軸溝２１３、切欠溝２１２、第２中心軸溝２１４、およびネジ２１５を含んで構成され、上下角度調節部１２０は、ＬＥＤモジュール１１０の背面に突出した突起１１６、凹溝１３１が形成されたＬＥＤモジュール固定具１３０、およびネジ１２３を含んで構成される。
【００１９】
併せて、本発明に係るＬＥＤ投光器は、角度調節可能範囲が文字および目盛で表記される角度表記部２１１、およびセルブラケット３００と平行するように配置される角度指示部３１０を含んで構成される。
【００２０】
上記本体２００は、前方が開口された四角ボックス形状で、後述する複数のセルブラケット３００を収容する。本体２００の材質は硬い金属材質が好ましい。また、上記本体２００の後面および側面には、後述するＬＥＤセル１００が動作時に発生する熱を排出するための通風溝２３０が全体面に亘って形成される。
【００２１】
また、図２で図示した上記本体２００の上部面には、第１中心軸溝２１３および切欠溝２１２が形成され、下部面には第２中心軸溝２１４が形成されるが、この際、上記第１中心軸溝２１３の位置と上記第２中心軸溝２１４の位置は互いに対応し、上記第１中心軸溝２１３、切欠溝２１２、および第２中心軸溝２１４は、セルブラケット３００の個数に合うように組成されて一定の間隔で離隔して複数個で形成される。
【００２２】
すなわち、後述するセルブラケット３００が上記本体２００に固定される個数と上記セルブラケット３００の広さによって、上記第１中心軸溝２１３、切欠溝２１２、および第２中心軸溝２１４の間隔が変わるようになる。
【００２３】
併せて、本体２００の四角ボックス形状のうち、前方部分は前方に突出しながら徐々に外側に勾配を与える形状で形成することもできるが、これは光の照射範囲を広めるためである。
【００２４】
併せて、上記本体２００の後面は開閉できるように形成される。これは、後述するＬＥＤセル１００に電気を供給する電源線を連結したり、上記ＬＥＤセル１００のメンテナンスを円滑にするためである。
【００２５】
上記ＬＥＤセル１００は、ＬＥＤパッケージ１１５が取り付けられたＬＥＤモジュール１１０と、上記ＬＥＤモジュール１００の下部に位置し、上記セルブラケット３００のＬＥＤセル固定溝３２０に結合されるＬＥＤモジュール固定具１３０とから構成される。
【００２６】
上記ＬＥＤモジュール１１０は円筒形状で、上部には上記ＬＥＤパッケージ１１５が内蔵され、下部には突起１１６が形成される。
【００２７】
上記突起１１６は、上記ＬＥＤモジュール固定具１３０に形成された凹溝１３１に嵌合され、上記凹溝１３１の形状に合うように組成される。
【００２８】
上記ＬＥＤモジュール固定具１３０の上部は、前述した突起１１６が嵌合できる凹溝１３１が形成され、下部は後述するセルブラケット３００のＬＥＤセル固定溝３２０の形状に合うように形成されて、上記ＬＥＤセル固定溝３２０に結合される。
【００２９】
また、上記ＬＥＤモジュール固定具１３０の下部中央には結合溝１３３が形成される。上記結合溝１３３は後述するセルブラケット３００に結合された後、ネジ３３３により固定される。
【００３０】
一方、上記突起１１６には結合溝１２２が形成され、この際、上記結合溝１２２の位置は上記突起１１６の側面で全幅の中心と全長の中心とが合う地点である。また、上記ＬＥＤモジュール固定具１３０にも上記結合溝１２２の位置と対応する結合溝１３２が形成されている。
【００３１】
上記ＬＥＤパッケージ１１５は、レンズ１１２、ＬＥＤ素子１１４、および基板（図示せず）から構成され、上記ＬＥＤ素子１１４は基板から電源の供給を受けて光を点灯するようになる。
【００３２】
上記レンズ１１２は、照射範囲を拡大する役目をする。
【００３３】
上記ＬＥＤ素子１１４は、点灯時の温度を一定の温度以下に維持できなければ、ＬＥＤ素子１１４の寿命が短縮されるので、熱を効果的に放出できるようにＬＥＤ素子１１４の周辺および基板には熱転移媒体（図示せず）を塗布することが好ましい。
【００３４】
上記熱転移媒体は、シリコン樹脂またはエポキシ樹脂を成形して組成されることが好ましい。
【００３５】
シリコン樹脂は、無機的な性質と有機的な性質を同時に有するようになり、無機的な性質により、耐熱性、化学的安定性、電気絶縁性、耐摩耗性などを有し、有機的な性質により、優れる反応性および溶解性により用途によって製品を製造することが容易であるという長所を有する。特に、シリコンは温度および周波数に関わらず、優れる電気絶縁性を発揮するので、電気／電子製品に多用途に使われており、使用温度が一般的に１５０℃〜２５０℃に達するので、ＬＥＤパッケージ１１５の発熱によりその物性が変わることもない。
【００３６】
エポキシ樹脂は、電気的性質、耐湿性、耐熱性、機械特性、耐薬品性、インサート品との接着性などの諸特性を釣りあうように有しているので、電子部品装置の素子にあまねく使われている。特に、電気絶縁性および耐湿性に優れ、耐熱性に優れるので、ＬＥＤパッケージ１１５の発熱により物性が変わることもない。そして、上記熱転移媒体として組成するためにエポキシ樹脂に硬化剤および充填剤などを添加して成形するようになる。
【００３７】
したがって、本発明のＬＥＤ投光器は、別途の送風手段無しで効果的に熱が放出できるようになる。
【００３８】
上記セルブラケット３００は長方形の板状であって、長手方向が長いコの字形状からなり、前述した上記本体２００の内部四角ボックス形状の長さと対応するサイズで形成される。上記セルブラケット３００の広さは後述するＬＥＤセル１００が固定できる広さで、上記ＬＥＤセル１００のサイズによって選択的に使用できる。
【００３９】
また、上記セルブラケット３００は、板状の面が上記本体２００の開口された方向、すなわち、前方に向くように取り付けられ、上記セルブラケット３００の板状の面のうち、上面と下面は上記本体２００の開口された方向と反対方向に薄い板状で突出される。
【００４０】
上記セルブラケット３００の上面には前述した上記第１中心軸溝２１３と対応する結合溝３１２が形成されており、下面には前述した上記第２中心軸溝２１４と対応する結合溝３１４が形成されている。
【００４１】
すなわち、上記セルブラケット３００の上面は上記本体２００の上面の内側と当接するようになり、下面は上記本体２００の下面の内側と当接するように固定される。
【００４２】
また、上記セルブラケット３００の板状の面にはＬＥＤセル１００を取り付けできる複数個のＬＥＤセル固定溝３２０と、電源線が引き込みできる複数個の電線引き込み溝３３０が形成されている。
【００４３】
上記ＬＥＤセル固定溝３２０は、前述したＬＥＤモジュール固定具１３０と対応する形状であり、中央には上記ＬＥＤセル固定溝３２０の下部に形成された結合溝１３３と対応する結合溝３３３が形成されている。
【００４４】
上記電線引き込み溝３３０は、上記ＬＥＤセル１００に電源を供給するための電線を引き込みするためのものであって、上記ＬＥＤセル固定溝３２０と同一の個数で形成されている。
【００４５】
上記ＬＥＤモジュール１１０とＬＥＤモジュール固定具１３０との結合、および上記ＬＥＤモジュール１１０の回動方法は、上下角度調節部１２０を通じて説明する。
【００４６】
図３および図４を参照すると、上記上下角度調節部１２０は、ＬＥＤモジュール１１０の背面に突出した突起１１６、ＬＥＤモジュール固定具１３０に形成された凹溝１３１、およびネジ１２３を含んで構成されるが、上記突起１１６は、上記ＬＥＤモジュール１１０の背面に突出するものであって、前述したように、上記ＬＥＤモジュール固定具１３０に形成された凹溝１３１に合うように形成され、上記突起１１６は上記凹溝１３１に嵌合される。
【００４７】
この際、上記凹溝１３１は上記突起１１６を嵌めることができるように垂直方向に切欠されるが、切欠される深さは上記突起１１６の長さより大きく切欠されることが好ましい。これは、上記ＬＥＤモジュール１１０の回動を容易にするためである。上記突起１１６の長さが上記凹溝１３１と同一の場合には、上記突起１１６が上記凹溝１３１に掛かって回動できなくなる。
【００４８】
すなわち、上記突起１１６が回動する時、対角線方向の長さが上記凹溝１３１の深さより長いためである。
【００４９】
また、上記突起１１６は上記凹溝１３１にあまり堅く嵌合されないように、上記凹溝１３１の形状より０．２〜０．４ｍｍ小さく形成することが好ましいが、これもまた、上記ＬＥＤモジュール１１０の回動を円滑にするためである。すなわち、上記突起１１６の形状が上記凹溝１３１より大きければ、上記突起１１６を上記凹溝１３１に嵌めにくいだけでなく、無理に嵌合しても上記突起１１６の外側と上記凹溝１３１の内側との摩擦力が強くて円滑に回動できない。
【００５０】
結局、前述したように、上記突起１１６が上記凹溝１３１に嵌合された時、同一の位置に上記突起１１６の結合溝１２２と上記凹溝１３１の結合溝１３２を横方向に貫通形成され、上記結合溝１２２、１３２の間に上記ネジ１２３が嵌められてネジ締めされる。すなわち、上記ＬＥＤモジュール１１０は上記ネジ１２３を軸にして回転される。
【００５１】
したがって、上記ＬＥＤモジュール１１０と上記ＬＥＤモジュール固定具１３０とを上記ネジ１２３により結合した後、上記ネジを緩めて、緩くした状態で上記ＬＥＤモジュール１１０の上下角度を希望する角度に調節し、上記ネジ１２３を締めることによって上記ＬＥＤモジュール１１０が上下角度を調節した状態を維持するように上記ＬＥＤモジュール固定具１３０に固定されるようにする。
【００５２】
ここで、上記突起１１６と上記凹溝１３１とを結合する方式は、ボルトとナットを用いて固定する方式を利用することもできる。すなわち、ボルトを上記結合溝１２２に貫通させ、ボルトの端部をナットにより締めて、より堅く上記ＬＥＤモジュール１１０と上記ＬＥＤモジュール固定具１３０とを固定させることができるようになる。
【００５３】
一方、上記ＬＥＤモジュール固定具１３０と上記セルブラケット３００のＬＥＤセル固定溝３２０との結合は、上記ＬＥＤモジュール固定具１３０を後述するセルブラケット３００のＬＥＤセル固定溝３２０に嵌めて、ネジ３３３により上記ＬＥＤモジュール固定具１３０の下部中央に形成された結合溝１３３を締めることにより固定される。
【００５４】
また、上記ＬＥＤモジュール固定具１３０の上記突起１１６と隣接する部分には複数の突起１３４が含まれるが、これは上下に調節される角度を表記するためのものであって、ユーザが上記突起１３４を参照して上下角度を調節することができる。
【００５５】
上記ＬＥＤモジュール固定具１３０の外側面にも後述する角度表記部２１１がさらに含まれることができ、上記ＬＥＤモジュールには角度指示部３１０がさらに含まれることによって、上下に調節される角度が表示されることができ、ユーザが認知することができる。
【００５６】
上記セルブラケット３００と上記本体２００との結合および回動方法は、左右角度調節部２１０を通じて説明する。
【００５７】
図４および図５を参照すると、上記左右角度調節部２１０は、第１中心軸溝２１３、切欠溝２１２、第２中心軸溝２１４、およびネジ２１５を含んで構成されるが、上記セルブラケット３００を垂直に立てた後、上記本体２００の内部に位置させた後、上記セルブラケット３００の上面と下面に形成された結合溝３１２を上記本体２００の上部面に形成された第１中心軸溝２１３と、下部面に形成された第２中心軸溝２１４が形成された位置に合せて、ネジ２１５によりネジ締めすることで、上記セルブラケット３００が固定される。
【００５８】
この際、上記セルブラケット３００は、板状の面が上記本体２００の開口された方向、すなわち、前方に向くように取り付けられる。
【００５９】
言い換えれば、上記ネジ２１５は、上記第１中心軸溝２１３、上記対称切欠された切欠溝２１２、および第２中心軸溝２１４に各々１つずつ嵌められるが、上記セルブラケット３００が前述したように本体の内部に位置した状態でネジ締めすれば、上記セルブラケット３００が本体２００に固定される。
【００６０】
上記セルブラケット３００の左右角度を調節しようとする時は、前述した上記ネジ２１５を緩めて、緩くした状態で上記セルブラケット３００を回動させて左右角度を調節する。この際、上記セルブラケット３００は上記第１中心軸溝２１３および上記第２中心軸溝２１４を軸にして回動するようになる。
【００６１】
上記切欠溝２１２は半円弧形状で、上記第１中心軸溝２１３を中心として左右側に対称となるように組成される。上記切欠溝２１２は、上記セルブラケット３００が左右に回動できる範囲を計ることができるものであって、上記セルブラケット３００の結合溝３１２に結合されたネジ２１５が上記切欠溝２１２に掛かることによって、これ以上上記セルブラケット３００が回動できなくなる。
【００６２】
したがって、ユーザは希望する照射角に上記セルブラケット３００を左右方向に容易に回動させることができるようになる。
【００６３】
ここで、上記本体２００と上記セルブラケット３００とを結合する方式は、ボルトとナットを用いて固定する方式を利用することもできる。すなわち、ボルトを上記第１中心軸溝２１３、切欠溝２１２、および第２中心軸溝２１４に貫通させ、ボルトの端部をナットにより締めて、より堅く上記本体２００と上記セルブラケット３００とを固定させることができる。この際、上記ボルトは上記本体２００の上部に位置し、上記ナットは上記セルブラケット３００の上面下部に位置し、上記本体２００の後面を開閉することによって容易にボルトとナットとを締結することができる。
【００６４】
また、上記本体２００と上記セルブラケット３００とを結合する方式は、ネジおよびボルトとナットの代わりに、ピンをさす形態でも固定させることができる。
【００６５】
上記角度表記部２１１は、前述した上記切欠溝２１２の外側から上記切欠溝２１２と同一の半径で、上記本体２００の上面に表記されて組成され、ユーザにどのぐらい上記セルブラケット３００を回動したかを文字および目盛で角度を認知できるようにする。
【００６６】
上記角度指示部３１０は、上記セルブラケット３００の板状の面と平行するように配置され、上記角度指示部３１０は矢印形状で前述した上記角度表記部２１１を指示する。上記角度指示部３１０は、上記切欠溝２１２の上部に位置する。
【００６７】
また、上記角度指示部３１０は、上記第１中心軸溝２１３および上記対称切欠された切欠溝２１２の上部に位置してネジ２１５により貫通され、上記セルブラケット３００のようにネジ締めにより固定される。すなわち、上記角度指示部３１０は、本体２００の上面と上記ネジ２１５との間で固定される。
【００６８】
ここで、上記角度指示部３１０は、上記本体２００の上面に位置し、前述した本体２００とセルブラケット３００との固定方式と同様に、ボルトとナットを用いて結合されることができ、この際、上記本体２００の上面に上記角度指示部３１０が位置し、上記角度指示部３１０の上面にボルトが位置し、ナットは上記セルブラケット３００の上面の下部に位置する。また、この場合にも前述したように本体３００の後面を開閉して容易にボルトとナットとを結合することができる。
【００６９】
また、上記セルブラケット３００と上記角度指示部３１０とが互いに連動して動くように構成することが好ましいが、すなわち、上記角度指示部３１０と上記セルブラケット３００とは互いに固定された状態で平行するように動くので、ユーザは上記角度表示部２１１を見ながら上記セルブラケット３００を左右方向に捩れて希望する左右角度に合せればよい。
【００７０】
同時に、ユーザは上記角度指示部３１０を見ながら左右角度を合わせるようになれば、より正確に左右照射角度を合せることができるようになる。
【００７１】
以上、本発明の技術的思想を例示するために具体的な実施形態として図示および説明したが、本発明は上記のように具体的な実施形態と同一の構成および作用のみに限定されず、種々の変形が本発明の範囲を逸脱しない限度内で実施できる。したがって、そのような変形も本発明の範囲に属するものと見なさなければならず、本発明の範囲は特許請求範囲により定められるべきである。
【符号の説明】
【００７２】
１００    ＬＥＤセル
１１０    ＬＥＤモジュール
１１５    ＬＥＤパッケージ
１１６    突起
１２０    ＬＥＤモジュール固定具
１２２    結合溝
１２３    ネジ
２００    本体
２１０    角度調節部
２１１    角度表記部
２１２    切欠溝
２１３    第１中心軸溝
２１４    第２中心軸溝
２１５    ネジ
３００    セルブラケット
３１０    角度指示部
３１１    セルブラケット固定溝
３１２    結合溝
３２０    セル固定溝
【図１】
2011159620.tif 000003
【図２】
2011159620.tif 000004
【図３】
2011159620.tif 000005
【図４】
2011159620.tif 000006
【図５】
2011159620.tif 000007